(57)【要約】【課題】ペットショップやトリミングショップにもともと必要な作業用テーブルにドライヤを一体化することによりドライヤ専用のスタンドを不要にし、装置全体の小型化を可能にし、ペットの体毛を起こしながら乾燥させる際の作業性を良くする。【解決手段】全身を洗浄したペット２４に温風を吹き付けて乾燥するために用いるペット用ドライヤ装置であって、ペット２４を載せるテーブル１０と、このテーブル１０の下面に取り付けられ温風を生成するドライヤ本体部２６と、このドライヤ本体部２６が生成する温風をテーブル１０の上方に導くフレキシブルホース２８と、テーブル１０に保持されて上方に伸びフレキシブルホース２８を係止可能とした可動アーム３０と、を備える。【選択図】図１
2013126377.tif 000002
【特許請求の範囲】
【請求項１】
全身を洗浄したペットに温風を吹き付けて乾燥するために用いるペット用ドライヤ装置であって、
前記ペットを載せるテーブルと、
このテーブルの下面に取り付けられ温風を生成するドライヤ本体部と、
このドライヤ本体部が生成する温風を前記テーブルの上方に導くフレキシブルホースと、
前記テーブルに保持されて上方に伸び前記フレキシブルホースを係止可能とした可動アームと、
を備えることを特徴とするペット用ドライヤ装置。
【請求項２】
テーブルは、高さが可変である請求項１に記載されたペット用ドライヤ装置。
【請求項３】
フレキシブルホースは、その先端に接続した温風ノズルを可動アームの先端に固定されたホース保持部材に通して保持する請求項１に記載されたペット用ドライヤ装置。
【請求項４】
可動アームの先端に温風ノズルが固定され、フレキシブルホースがこの温風ノズルに接続可能である請求項１に記載されたペット用ドライヤ装置。
【請求項５】
テーブルには、ペットを通過した温風を集めてドライヤ本体部に導く温風ダクトが設けられ、ドライヤ本体部にはこの温風ダクトから導かれる温風から抜け毛を捕獲するフィルタが設けられている請求項１に記載されたペット用ドライヤ装置。
【請求項６】
可動アームに、ペットの移動を制限するためのストラップが取り付けられている請求項１に記載されたペット用ドライヤ装置。
【発明の詳細な説明】
【技術分野】
【０００１】
この発明は、犬、猫、その他の愛玩動物（以下ペットという。）であって主として体毛の多いペットを全身洗浄した場合などにその全身を効率よく乾燥するために用いるペット用ドライヤ装置に関するものである。
【背景技術】
【０００２】
犬や猫などのペットで全身を洗浄した場合には、まずタオルなどで水分を拭き取りその後でドライヤで乾燥することが通常行われている。この場合に用いるドライヤとしては、通常は人が用いる頭髪用のドライヤを用いるのが一般的である。またペットショップやトリミングショップではペットの全身に温風を当てるための大容量の大型ドライヤを用いている。
【０００３】
【特許文献１】実用登録３０６３６８２号公報
【特許文献２】実用登録３１１１６９４号公報
【特許文献３】特開２００５−２６１２１７号公報
【特許文献４】特開２００５−２３７３５３号公報
【０００４】
特許文献１、２には、専用のスタンドを用いて温風の吹き出し方向が可変となるようにドライヤを保持したものが開示されている。特許文献３には、犬を頭以外の全身を収容室内に収容し、この収容室に温風を送り込むようにした乾燥装置が開示されている。特許文献４には、ビニール状の袋に犬などを入れて、この袋の中にドライヤが吐出する温風を導くとともに、この袋に空けた開口部から作業者や飼い主が両手を入れてペットの全身を押さえたり、濡れて全身に密着した体毛を起こすようにして温風が当たりやすくするようにしたものが開示されている。
【発明の開示】
【発明が解決しようとする課題】
【０００５】
特許文献１、２に開示された専用のスタンドを用いる装置では、大型のスタンドを別途用意する必要が生じ、作業の障害になることがある。また特許文献３の収容室に犬などを収容してここに温風を送るものでは、この収容室が大きくなり、装置全体が大型になるという問題がある。また特許文献４のものでは、袋の中に作業者や飼い主が手を入れてペットの体毛を起こす必要があり、作業性が悪いという問題がある。
【０００６】
この発明はこのような事情に鑑みなされたものであり、ペットショップやトリミングショップにもともと必要な作業用テーブルにドライヤを一体化することによりドライヤ専用のスタンドを不要にし、装置全体の小型化を可能にし、ペットの体毛を起こしながら乾燥させる際の作業性が良いペット用ドライヤ装置を提供することを目的とする。
【課題を解決するための手段】
【０００７】
この発明によればこの目的は、全身を洗浄したペットに温風を吹き付けて乾燥するために用いるペット用ドライヤ装置であって、前記ペットを載せるテーブルと、このテーブルの下面に取り付けられ温風を生成するドライヤ本体部と、このドライヤ本体部が生成する温風を前記テーブルの上方に導くフレキシブルホースと、前記テーブルに保持されて上方に伸び前記フレキシブルホースを係止可能とした可動アームと、を備えることを特徴とするペット用ドライヤ装置、により達成される。
【発明の効果】
【０００８】
ショップに元々必要な作業用のテーブルの下面にドライヤ本体部を取り付け、ここから温風をフレキシブルホースによって作業テーブルの上方に導くようにしたから、ドライヤ専用のスタンドが別途必要でなくなる。このため全体の小型化が可能である。またペットはこのテーブルの上に載せて温風を当てることができ、この時フレキシブルホースは可動アームに係止可能であるから、ペットの体毛を手で起こしながら乾燥させることができ作業性が良い。
【発明を実施するための最良の形態】
【０００９】
テーブルはその高さを可変にすれば、作業者の身長やペットの大きさに応じてペットを最適な高さにして作業することができるので、作業性が一層向上する（請求項２）。フレキシブルホースを可動アームに係止可能にするためには、可動アームの先端にホース保持部材を設けておき、フレキシブルホースの先端に接続した温風ノズルをこのホース保持部材に保持することができる（請求項３）。例えばホース保持部材をリング状としてここに温風ノズルを上から通して保持したり、ホース保持部材をフック状あるいはクリップ状として温風ノズルを引っかけたり挟んで固定したりするものが可能である。可動アームの先端に温風ノズルを吐出方向可変に固定して、このノズルにフレキシブルホースを接続可能にしても良い（請求項４）。
【００１０】
テーブルには、ペットを通過した温風を集めてドライヤ本体部に導く温風ダクトを設け、ドライヤ本体部にはこの温風ダクトで集めた温風から抜け毛を捕獲するフィルタを設けておくことにより、乾燥時にペットから抜け落ちる体毛（抜け毛）が周囲に飛散するのを防ぐことができる（請求項５）。さらに可動アームには、ペットの移動を制限するためのストラップを取り付けておき、このストラップをペットの首輪などに接続しておけば、ペットが不意にテーブルから逃げるのを防ぐことができる（請求項６）。
【実施例１】
【００１１】
図１〜３において、符号１０は作業テーブルである。このテーブル１０は脚部１２によって上下位置調節可能に保持されている。すなわち脚部１２は、互いに結合された左右一対のＬ字状下脚１４、１４と、これらのＬ字状下脚１４、１４の上端にヒンジ結合された左右一対の上脚１６、１６とを備え、これら上脚１６、１６の上端がテーブル１０の下面前縁付近に固定した突出部材１８、１８に、ヒンジ結合されている。ここに各ヒンジはテーブル１０の正面から見て前後方向に揺動可能かつ固定可能である。
【００１２】
従って各ヒンジを弛めればテーブル１０の高さを調節可能であり、適切な高さで各ヒンジを締めて固定することによりテーブル１０を適切な高さに固定することができる。なおテーブル１０が、突出部材１８、１８と反対側（テーブル１０の奥側）を安定させるために、補助ロッド２０、２０を下脚１２、１２の上端付近とテーブル１０の下面奥側との間に取り付けておくのがよい。例えば下脚１２、１２の上端に設ける左右一対のヒンジの回動軸を共通のヒンジ軸２２とし、このヒンジ軸２２に補助ロッド２０の下端を前後に揺動可能に保持する一方、その上端をテーブル１０の下面に前後方向に係止位置可変にした係止部に保持する構成が可能である。
【００１３】
またテーブル１０の上面は樹脂シートで覆われ、この樹脂シートは交換可能である。テーブル１０には犬や猫などのペット２４（図１）を載せて温風を当てたり、トリミングなどの種々の作業を行うが、このような時にペット２４はテーブル１０の表面に爪で傷を付けたりテーブル１０の縁をかじったりすることがあり、このように傷がついた表面を直すためには、樹脂シートをはがして新しいものを張り直せば良く、表面の修正を簡単に行うことが可能になるからである。
【００１４】
次にドライヤ装置を説明する。このドライヤ装置は、テーブル１０の下面に取り付けられたドライヤ本体部２６と、このドライヤ本体部２６から上方に伸びるフレキシブルホース２８と、このフレキシブルホース２８を保持する可動アーム３０を有する。ドライヤ本体部２６は、横長の箱状のケース３２、このケース内に収容された図３に示す電動モータ３４、このモータ３４により回転駆動されるファン３６、電気ヒータ３８などを持つ。ケース３２は、テーブル１０の下面左寄りに水平横向きに固定されている。
【００１５】
ケース３２の左端面３２Ａはテーブル１０の左側の縁部に接近し、この左端面３２Ａにドライヤの操作スイッチ類が配設されている。すなわち図４に示すように、メインスイッチ４０、風量調節摘み４２、ヒータ温度調節摘み４４が配設される。風量調節摘み４２はモータ３４の回転速度を調節してファン３６の総風量を調節する。ヒータ温度調節摘み４４は電気ヒータ３８の電流を調節することによりドライヤが吐出する温風温度を調節するものである。
【００１６】
ケース３２の右端面には外気を吸入する吸入口４６が開口し、左端面３２Ａには温風の吐出口４８が開口している（図３）。この吐出口４８には前記フレキシブルホース２８の下端が水平方向に接続されている。このフレキシブルホース２８は、この吐出口４８からテーブル１０の左側縁を迂回して上方に伸び、前記可動アーム３０の上端に保持されている。
【００１７】
ここに可動アーム３０の上端（先端）にはホース保持部材となるリング状部材５０が固定され、ここにフレキシブルホース２８の先端が上から通される。すなわちフレキシブルホース２８の先端には温風ノズル５２が接続され、この温風ノズル５２がこのリング状部材５０に上から通されて保持されている。可動アーム３０はテーブル１０の奥側の側縁に固定され、複数のアームをヒンジで回動および固定可能に接続したものであり、リング状部材５０の位置は調整可能である。このためリング状部材５０の位置をペット２４の上方に適切な高さに設定し、温風ノズル５２の向きを調整することによって、ペット２４に適切な状態で温風を当てることが可能になる。
【００１８】
なおこのリング状部材５０あるいは可動アーム３０の適宜位置にストラップ（紐など）５４を結着しておき、このストラップ５４をペット２４に繋げるようにしても良い。例えば、ペット２４の首輪にこのストラップ５４を繋ぐことにより、ペット２４が作業中にテーブル１０から急に逃げ出したりするのを防ぐことができる。
【００１９】
この実施例によれば、犬などのペット２４を全身洗浄した後、全身から滴下する余分な水をタオルなどで大まかに拭き取り、その後でテーブル１０に載せてドライヤによって体毛を乾燥させるものである。この場合にペット２４の首輪をストラップ５４に繋ぎ、ドライヤ本体部２６のメインスイッチ４０をオンにする。そして風量調節摘み４２、ヒータ温度調節摘み４４を調節して、温風の風量と温度を調整する。またリング状部材５０に保持した温風ノズル５２の向きと高さを調整し、ペット２４に適切に温風が当たるようにする。この状態で作業者は手袋をはめた手でペット２４の体毛を起こし、体毛の中に温風が当たり易くなるようにしつつ体毛を乾燥させる。
【００２０】
テーブル１０の下面には電気コンセント５６（図２）を固定しておくのが望ましい。この電気コンセント５６には前記ドライヤ本体部２６の電源コンセントを挿入して接続してもよいし、他の電気器具の電源コンセントを挿入し接続してもよい。ここに他の電気器具としては手持ちの電気ドライヤであってもよく、この場合にはドライヤ本体部２６の温風とこの手持ちドライヤの温風とをペット２４に当てることにより、体毛の乾燥を一層効率良く短時間で行うことが可能になる。
【実施例２】
【００２１】
図５、６はテーブルの他の実施例を示すものである。この実施例のテーブル１０Ａは、側縁を枠状に起立させた底板６０の上に上板６２を載せたものである。ここに底板６０は前記ドライヤ本体部２６の右側に設けた開口６４に向かって加工する略ロート状であり、この開口６４はドライヤ本体部２６の吸入口４６（図３参照）に接続されている。上板６２は、多数の小孔６６を形成した平板、あるいは金属網の周囲を枠材に固定した網などであり、温風ノズル５２から放出された温風すなわちペット２４に当たった温風をこの上板６２を通してその下の底板６０に通過させる。
【００２２】
この実施例の場合は、ドライヤ本体部２６の中にフィルタ６８（図３参照）を入れておくのが良い。すなわち吸入口４６に内側にこのフィルタ６８を設けておく。テーブル１０Ａから吸入された温風にはペット２４の身体から抜けた抜け毛が含まれるので、これをフィルタ６８で除去し、抜け毛を除いた温風を温風ノズル５２から再びペット２４に当てるように循環させるものである。この実施例によれば温風が循環するので電気ヒータ３８（図３）の消費電力が減少する。
【実施例３】
【００２３】
図７は温風ノズル５２の他の実施例を示し、この温風ノズル５２Ａは可動アーム３０の先端に吐出方向を可変にしたものである。すなわちこの温風ノズル５２Ａは、ヒンジ７０によって軸線Ｐ周りに上下に回動可能であり、また温風ノズル５２Ａはこのヒンジ７０に対して軸線Ｑ周りに左右に回動可能である。
【００２４】
温風ノズル５２Ａにはその一端（左端）にフレキシブルホース２８の上端が接続され、その下面に開口した多数の小孔から温風が送出される。従って温風ノズル５２Ａの向きを変えることによってペット２４に当たる温風の向きを調整することができ、作業能率の向上に適する。
【図面の簡単な説明】
【００２５】
【図１】本発明の一実施例の外観を示す斜視図
【図２】そのドライヤ本体部付近の拡大図
【図３】ドライヤ本体部の構造を示す図
【図４】ドライヤ本体部の操作部を示す図
【図５】他の実施例を一部断面した正面図
【図６】同じくテーブル部分の分解斜視図
【図７】温風ノズル部の他の実施例を示す斜視図
【符号の説明】
【００２６】
１０、１０Ａ  テーブル（作業テーブル）
１２  脚部
２６  ドライヤ本体部
２８  フレキシブルホース
３０  可動アーム
３２  ケース
３４  電動モータ
３６  ファン
３８  電気ヒータ
４６  吸入口
４８  吐出口
５０  リング状部材（ホース保持部材）
５２、５２Ａ  温風ノズル
５４  ストラップ
６８  フィルタ
【図１】
2013126377.tif 000003
【図２】
2013126377.tif 000004
【図３】
2013126377.tif 000005
【図４】
2013126377.tif 000006
【図５】
2013126377.tif 000007
【図６】
2013126377.tif 000008
【図７】
2013126377.tif 000009
【手続補正書】
【提出日】平成24年2月10日(2012.2.10)
【手続補正１】
【補正対象書類名】図面
【補正対象項目名】全図
【補正方法】変更
【補正の内容】
【図１】
2013126377.tif 000010
【図２】
2013126377.tif 000011
【図３】
2013126377.tif 000012
【図４】
2013126377.tif 000013
【図５】
2013126377.tif 000014
【図６】
2013126377.tif 000015
【図７】
2013126377.tif 000016